(57)【要約】【課題】頭出し信号を撮影者を煩わせることなく記録できるようにする。【解決手段】  スチルカメラ１０には、レリーズボタン１１の操作に応答して撮影タイミング信号を発生するタイミング信号１３が設けられている。撮影タイミング信号は、無線によってスチルカメラ１０からビデオカメラ１０に送信できるようにされている。ビデオカメラ２０は、撮影タイミング信号を受信すると、そのタイミングに対応する撮影シーンを頭出しするための頭出し信号を記録メディア２５に記録する。【選択図】図１
2007325052.tif 000002
【特許請求の範囲】
【請求項１】
被写体を撮影する際に操作されるレリーズ手段と、このレリーズ手段の操作に応答して被写体画像を撮影する静止画撮影部と、レリーズ手段の操作に応答して撮影タイミング信号を発生するタイミング信号発生手段と、撮影タイミング信号を無線で送信する送信手段とを備えた１台以上のスチルカメラと、
動画を撮影するための動画撮影部と、この動画撮影部によって撮影された動画を記録メディアに記録する動画記録手段と、前記撮影タイミング信号を受信する受信手段と、撮影タイミング信号の受信タイミングに対応するシ−ンを頭出しするための頭出し信号を前記記録メディアに記録する頭出し信号記録手段とを備えたビデオカメラとからなることを特徴とする動画撮影システム。
【請求項２】
前記頭出し信号記録手段は、前記受信手段が受信する撮影タイミング信号の所定の単位時間内における受信回数が予め設定された回数に達したシーンを頭出しするための頭出し信号を前記記録メディアに記録することを特徴とする請求項１記載の動画撮影システム。
【請求項３】
前記送信手段からの撮影タイミング信号を受信し、その撮影タイミング信号をビデオカメラに送信するサーバを含み、前記受信手段は、前記サーバからの撮影タイミング信号を受信することを特徴とする請求項１または２記載の動画撮影システム。
【請求項４】
前記サーバは、前記スチルカメラからの撮影タイミング信号の所定の単位時間内における受信回数が予め設定された回数に達した際に、前記ビデオカメラに撮影タイミング信号を送信することを特徴とする請求項３記載の動画撮影システム。
【請求項５】
動画を撮影するための動画撮影部と、この動画撮影部によって撮影された動画を記録メディアに記録する動画記録手段と、外部のストロボ装置のストロボ発光を検出し、発光検出した際に検出信号を発生する発光検出手段と、前記検出信号に応答して前記検出信号の発生タイミングに対応するシーンを頭出しするための頭出し情報を前記記録メディアに記録する頭出し信号記録手段とを備えたビデオカメラ。
【請求項６】
動画を撮影するための動画撮影部と、この動画撮影部によって撮影された動画を記録メディアに記録する動画記録手段と、外部の音を取得し音信号を出力するマイク及び取得した音信号が予め登録されているシャッタ装置の動作音と合致するか否かを判別し、合致したときに検出信号を発生する解析手段を有する動作音検出手段と、前記検出信号に応答して前記検出信号の発生タイミングに対応するシーンを頭出しするための頭出し情報を前記記録メディアに記録する頭出し信号記録手段とを備えたビデオカメラ。
【請求項７】
前記頭出し信号記録手段は、前記検出信号の所定の単位時間内における発生回数が予め設定された回数に達したシーンを頭出しするための頭出し信号を前記記録メディアに記録することを特徴とする請求項５または６記載のビデオカメラ。
【発明の詳細な説明】
【技術分野】
【０００１】
本発明は、動画撮影システム及びビデオカメラに関するものである。
【背景技術】
【０００２】
ビデオテープやＤＶＤ等の記録メディアにビデオカメラで撮影した動画を記録し、これを再生する際や、その記録した動画を編集する際に、所望とするシーンを容易に検索することができるようにするために、特定のシーンを頭出しする頭出し信号を記録する技術が知られている。この頭出し信号を記録することにより、例えば再生時に早送りを行うと頭出し信号が記録されているシーンまで早送りされた後に再生が開始され、あるいは頭出し信号で特定されるシーンを指定して再生を開始させることができる。
【０００３】
動画を記録した記録メディアに固有な情報，頭出しするシーンの記録位置を特定するためのトラック番号やタイムコードなどを付加した動画の検索（頭出し）に用いられるインデックス画像を生成する技術が特許文献１によって知られている。また、通信ネットワークを介してデータサーバと通信し、画像データの受信を行うカメラが特許文献２によって知られている。
【特許文献１】特開２００５−３５４４１２号公報
【特許文献２】特開平１１−１６４２８２号公報
【発明の開示】
【発明が解決しようとする課題】
【０００４】
ところで、所望とするシーンを容易に検索することができるようにするためには、特定のシーンに対して頭出し信号を記録しなければならないが、ビデオカメラでの撮影時において、撮影者が撮影を行いながら重要と思われるシーンごとにビデオカメラを操作して頭出し信号を記録することは操作が煩わしく撮影に集中できない、ビデオカメラから離れることができないといった問題があった。例えば結婚式，講演会の行事等では、ビデオカメラのユーザがその行事に参加するために、ビデオカメラを固定して行事の一部始終を無人で撮影する場合もあるが、このような場合には頭出し信号を記録するための操作ができない。
【０００５】
本発明は上記問題を解消するためになされたもので、撮影された動画のシーンを検索するのに有用なタイミングで頭出し信号を、撮影時に撮影者を煩わせることなく、また撮影を無人で行う場合にも記録できる動画撮影システム及びビデオカメラを提供することを目的とする。
【課題を解決するための手段】
【０００６】
上記目的を達成するために、請求項１記載の動画撮影システムでは、被写体を撮影する際に操作されるレリーズ手段と、このレリーズ手段の操作に応答して被写体画像を撮影する静止画撮影部と、レリーズ手段の操作に応答して撮影タイミング信号を発生するタイミング信号発生手段と、撮影タイミング信号を無線で送信する送信手段とを備えた１台以上のスチルカメラと、動画を撮影するための動画撮影部と、この動画撮影部によって撮影された動画を記録メディアに記録する動画記録手段と、前記撮影タイミング信号を受信する受信手段と、撮影タイミング信号の受信タイミングに対応するシ−ンを頭出しするための頭出し信号を前記記録メディアに記録する頭出し信号記録手段とを備えたビデオカメラとから構成したものである。
【０００７】
請求項２記載の動画撮影システムでは、頭出し信号記録手段を、前受信手段が受信する撮影タイミング信号の所定の単位時間内における受信回数が予め設定された回数に達したシーンを頭出しするための頭出し信号を前記記録メディアに記録するようにしたものである。
【０００８】
請求項３記載の動画撮影システムでは、送信手段からの撮影タイミング信号を受信し、その撮影タイミング信号をビデオカメラに送信するサーバを含み、受信手段を、前記サーバからの撮影タイミング信号を受信するようにしたものである。また、請求項４記載の動画撮影システムでは、サーバを、スチルカメラからの撮影タイミング信号の所定の単位時間内における受信回数が予め設定された回数に達した際に、ビデオカメラに撮影タイミング信号を送信するようにしたものである。
【０００９】
請求項５記載のビデオカメラでは、動画を撮影するための動画撮影部と、この動画撮影部によって撮影された動画を記録メディアに記録する動画記録手段と、外部のストロボ装置のストロボ発光を検出し、発光検出した際に検出信号を発生する発光検出手段と、前記検出信号に応答して前記検出信号の発生タイミングに対応するシーンを頭出しするための頭出し情報を前記記録メディアに記録する頭出し信号記録手段とを備えたものである。
【００１０】
請求項６記載のビデオカメラでは、動画を撮影するための動画撮影部と、この動画撮影部によって撮影された動画を記録メディアに記録する動画記録手段と、外部の音を取得し音信号を出力するマイク及び取得した音信号が予め登録されているシャッタ装置の動作音と合致するか否かを判別し、合致したときに検出信号を発生する解析手段を有する動作音検出手段と、前記検出信号に応答して前記検出信号の発生タイミングに対応するシーンを頭出しするための頭出し情報を前記記録メディアに記録する頭出し信号記録手段とを備えたものである。
【００１１】
請求項７記載のビデオカメラでは、記頭出し信号記録手段を、検出信号の所定の単位時間内における発生回数が予め設定された回数に達したシーンを頭出しするための頭出し信号を前記記録メディアに記録するようにしたものである。
【発明の効果】
【００１２】
本発明によれば、スチルカメラのレリーズ操作に応答して発生される撮影タイミング信号、ストロボ発光、シャッタ音を検出して、そのときのシーンを頭出しする頭出し信号を記録メディアに記録するように構成したから、重要なシーンとしてスチルカメラで撮影されるであろうシーンに頭出しするための頭出し信号をビデオカメラのユーザを煩わせることなく記録することができる。
【発明を実施するための最良の形態】
【００１３】
本発明の第１実施形態を実施した動画撮影システムの構成を図１に示す。動画撮影システムは、１台以上のスチルカメラ１０と、ビデオカメラ２０とから構成される。スチルカメラ１０は、レリーズボタン１１，静止画撮影部１２，タイミング信号発生回路１３，通信回路１４を備えている。スチルカメラ１０としては、レリーズボタン１１の押圧操作に応答して静止画を行うものであれば、写真フイルムに露光を与えるフイルムカメラ、撮影した画像を画像データに変換してメモリカード等のメディアに記録するデジタルスチルカメラのいずれでもよく、また携帯電話に内蔵されたデジタルカメラなどであってもよい。
【００１４】
静止画撮影部１２は、レリーズボタン１１の押圧操作に応答して静止画の撮影を行う。例えばデジタルスチルカメラである場合には、静止画撮影部１２は、撮影レンズと、この撮影レンズによって結像される光学的な被写体像を電気的な画像信号に変換して出力するイメージセンサ、イメージセンサからの画像信号に対して増幅処理、ホワイトバランス補正、ガンマ補正、デジタル変換等の各種信号処理を行う信号処理回路，信号処理を施して得られる画像データを記録するメモリ等のから構成される。タイミング信号発生回路１３は、レリーズンボタン１１が押圧操作されたときに、撮影タイミング信号を発生する。通信回路１４は、ビデオカメラ２０に撮影タイミング信号を無線で送信する。
【００１５】
ビデオカメラ２０は、動画撮影部２１，動画記録部２２，通信回路２３，頭出し信号記録部２４を備えている。動画の撮影をするための動画撮影部２１は、撮影レンズと、この撮影レンズによって結像される光学的な被写体像を電気的な画像信号に変換して出力するイメージセンサと、イメージセンサからの画像信号に対して増幅処理、ホワイトバランス補正、ガンマ補正等の各種信号処理を行う信号処理回路等から構成してある。この動画撮影部２１は、動画を撮影して得られる画像信号を動画記録部２２に送る。
【００１６】
動画記録部２２は、撮影された動画を記録メディア２５に記録するものであり、動画撮影部２１からの画像信号を記録メディア２５に順次に記録する。画像信号の記録メディア１８への記録形式は、後述するように頭出し信号を記録できるものであれば、どのような記録形式であってもかまわない。また、記録メディア２５は、画像信号の記録形式に応じたものが用いられるが、特に種類が限定されるものではない。例えば、記録メディア１８としてビデオテープを用い、このビデオテープにアナログの画像信号を磁気記録してもよく、ＤＶＤ，ハードディスク装置等の記録メディア１８に、画像信号をデジタル変換してＭＰＥＧ−２等の記録形式で記録してもよい。
【００１７】
通信回路２３は、スチルカメラ１０からの撮影タイミング信号を受信する受信手段となっており、無線によって送出された撮影タイミング信号を受信すると検出信号を発生し、この検出信号を頭出し信号記録部２４に送る。
【００１８】
スチルカメラ１０とビデオカメラ２０との間に通信回路１４，２３による撮影タイミング信号の授受のための接続には無線ＬＡＮを用いており、例えばビデオカメラ２０側の通信回路２３が撮影タイミング信号を受信する旨のプロファイルをブロードキャストし、このプロファイルをスチルカメラ１０側の通信回路１４が受信する。これにより、スチルカメラ１０がタイミング信号を受信しようとしている同一のサブネット下にあるビデオカメラ２０のＩＰアドレスを取得し、スチルカメラ１０がビデオカメラ２０のＩＰアドレスを指定して撮影タイミング信号を送出するようになる。なお、スチルカメラ１０が相手先を特定せずに撮影タイミング信号を送出してもよく、接続形態としてはコネクション型でもコネクションレス型であってもよい。
【００１９】
また、スチルカメラ１０とビデオカメラ２０との間の通信方式は、スチルカメラ１０からビデオカメラ２０に撮影タイミング信号を送ることができるのであれば上記のものに限らない。例えば有線方式でもかまわないが、配線が不要であることデジタルスチルカメラやビデオカメラの移動性を損なわないこと等から無線方式であることが好ましい。また、他の無線方式を採用してもよい。例えば、通信手段としてBluetooth（登録商標）を採用してもよく、この場合ではデジタルスチルカメラ１０とビデオカメラ２０との間で撮影タイミング信号の送受信を行うためのプロファイルを通信回路１４，２３を介して交換することにより、互いに所定の形式で通信を行うようにすればよい。
【００２０】
頭出し信号記録部２４は、撮影タイミング信号の受信タイミングに対応するシ−ンを頭出しするための頭出し信号を記録メディアに記録メディア２５に記録するものであり、この頭出し信号記録部２４は、検出信号が入力されるとその入力時点に対応するシーンを頭出しするための頭出し信号を記録メディア２５に記録する。このようにすることで、スチルカメラ１０でレリーズ操作されて撮影が行われるときを重要なシーンであるとして、そのシーンを頭出しするように頭出し信号が記録されるようにしている。
【００２１】
撮影タイミング信号の受信タイミングに対応するシーンとしては、その受信タイミングにビデオカメラ２０で撮影しているシーンに厳密に一致していなくてもよい。したがって、例えば検出信号の発生時点で動画撮影部２１が出力しているシーン（フレーム）でもよく、ビデオテープに動画を記録する場合のように、動画撮影部２１による撮影と記録メディア２５への記録との時間的ズレが少ないのであれば、検出信号の発生時点に記録メディア２５に記録しているシーンを頭出しするように頭出し信号を記録してもよい。また、時間的に前に多少ずれたシーンを頭出しするように頭出し信号を記録してもよい。
【００２２】
また、頭出し信号の記録形式については、記録メディア２５，画像信号の記録形式に応じた種々のものを採用することができる。例えば、ビデオテープを用いる場合では、頭出しすべきシーンのビデオテープ上の記録位置に頭出しを行うための信号を、映像信号、音声信号に影響を与えないように記録すればよい。また、ＭＰＥＧ２のストリームデータとして動画を記録する場合では、検出信号が入力された時点で撮影されていたシーンあるいはこれに対応する音声のデータをパケット化したPES(Packetized Elementary Stream)に付与されるＰＥＳパケットヘッダに対して、頭出しするための情報を頭出し信号として記録することができる。ＣＤやＤＶＤ等のディスクメディアにデータを記録する場合には、動画が記録されるトラックの冒頭に記録されるＴＯＣ（Table Of Contents）に、動画位置に対応するブロックのアドレスを頭出し信号として記録することができる。
【００２３】
なお、頭出し信号の記録タイミングは、頭出し信号の記録形式に応じたタイミングで記録すればよい。例えば上記のようにビデオテープに頭出し信号を記録するのであれば、撮影タイミング信号の受信、すなわち検出信号の発生タイミングとほぼ同時に、動画を記録している位置に頭出し信号を記録すればよい。また、ＴＯＣに記録する場合には、検出信号の発生タイミングで特定したシーンを示すブロック番号等をメモリ等にＴＯＣのデータを実際に記録するまで保持しておけばよい。
【００２４】
次に上記構成の作用について、図２を参照しながら説明する。ビデオカメラ２０の電源がオンとされると、電源のオンとされた直後、その後の一定の間隔で通信回路２３よりプロファイルのブロードキャストが行われる。一方、スチルカメラ１０は、電源がオンとなると、通信回路１４によるプロファイルの受信が可能な状態になる。
【００２５】
このため、スチルカメラ１０が電源オンの状態でビデオカメラ２０によるブロードキャストが行われると、ビデオカメラ２０からのプロファイルが通信回路１４によって受信され、スチルカメラ１０がビデオカメラ２０のＩＰアドレスを取得する。これにより、通信が確立され、取得したＩＰアドレスに対して撮影タイミング信号が送出されるように通信回路１３が設定される。なお、スチルカメラ１０が複数台あれば、いずれのスチルカメラ１０についても同様にしてビデオカメラ２０との間で通信が確立される。
【００２６】
ビデオカメラ２０のユーザは、例えば結婚式の会場等で適当にフレーミングを行ってから、図示しない操作部を操作してビデオカメラ２０による録画を開始する。録画を開始すると、動画撮影部２１によって被写体の撮影が開始され、この撮影で出力される画像信号が次々に動画記録部２２に送られる。そして、この動画記録部２２によって画像信号が記録メディア２５に順次に記録される。また、このようにして録画が開始されると、ビデオカメラ２０は撮影タイミング信号の待ち受け状態となる。
【００２７】
上記のようにして録画状態とした後では、ビデオカメラ２０のユーザは、特に頭出し信号を記録するための操作をビデオカメラ２０に対して行う必要がないから、ビデオカメラ２０を操作してズーミングやフレーミング等に専念することができる。また、スチルカメラ１０を操作して撮影を行ってもよい。
【００２８】
一方、スチルカメラ１０のユーザは、所望とするシーンでレリーズボタン１１を押圧操作して撮影を行う。レリーズ操作を行うと、静止画撮影部１２による撮影処理が行われて、被写体の静止画像が撮影される。また、このレリーズ操作に応答して、タイミング信号発生回路１３が撮影タイミング信号を発生し、これが通信回路１４から送信される。
【００２９】
上記のようにして、スチルカメラ１０から送信された撮影タイミング信号がビデオカメラ２０の通信回路２３に受信されると、この通信回路２３で検出信号が発生され、この検出信号が頭出し信号記録部２４に与えられる。
【００３０】
検出信号が入力されると頭出し信号記録部２４がその時点のシーンの記録位置を頭出しするための頭出し信号を記録メディア２５に記録する。例えば、記録メディア２５がビデオテープであれば検出信号が入力された時点で記録上のテープ位置に頭出し信号を記録する。また、ＭＰＥＧ２のストリームデータとして動画を記録する場合では、検出信号が入力された時点で撮影されていたシーンのデータをパケット化したＰＥＳを記録する際に、それに含まれるＰＥＳパケットヘッダ内に頭出し信号の情報を記録することになる。
【００３１】
上記のようにして、いずれかのスチルカメラ１０でレリーズ操作が行われるごとに、そのスチルカメラ１０から送出された撮影タイミング信号がビデオカメラ２０で受信されて、そのときのシーンを頭出しするための頭出し信号が記録メディア２５に記録される。
【００３２】
以上のように動画が記録された記録メディア２５の再生時では、再生装置の操作部を操作して頭出しを指示すれば、頭出し信号が記録されているシーンにまで早送りあるいは巻き戻されて、あるいはそのシーンに直接に移動して再生されるため、迅速に頭出しを行うことができる。
【００３３】
次に、単位時間内の撮影タイミング信号の受信回数が所定の閾値に達した場合に、頭出し信号を記録する第２実施形態を説明する。なお、以下に説明する他は、第１実施形態と同様であり、同じ構成部材には同一の符号を付してその説明を省略する。
【００３４】
図３に示すように、ビデオカメラ２０の頭出し信号記録部２４は、受信回数判定手段３１を備えている。この受信回数判定手段３１の閾値は、設定手段３２によって設定される。受信回数判定手段３１は、図４に示すように、通信回路２３からの検出信号の所定の単位時間内での入力回数、すなわち撮影タイミング信号の所定の単位時間内での受信回数が設定される閾値に達したときに、頭出し信号を記録するように頭出し信号記録部２４を制御する。
【００３５】
例えば、受信回数判定手段３１は、ビデオカメラ２０で録画が開始されると、タイマ及びカウンタをリセットしてから、タイマをスタートさせて計時を開始するとともに、カウンタをスタートさせて検出信号の入力回数の計数を開始する。タイマによる計時時間が単位時間、例えば１秒となると、カウンタの内容を参照し、設定されている閾値、例えば３回に達しているか否かの判断を行う。そして、閾値に達している場合には、その時点のシーンを頭出しするための頭出し信号を記録するための処理を行ってから、タイマ及びカウンタをリセットして再スタートし、達していない場合には直ちにタイマ及びカウンタをリセットして再スタートする。この構成によれば、各々のスチルカメラ１０のレリーズ操作によって実際には頭出しする必要もないシーンにみだり頭出し信号が付加されることがない。
【００３６】
なお、設定手段３２は、閾値を受信回数判定手段３１に設定するためのものであるが、例えば予め決められた閾値を設定するのならば、設定手段３２を製造時等に閾値が書き込まれたメモリで構成すればよく、またユーザが任意に閾値を設定するようにするのであれば、外部から操作されて閾値を選択あるいは入力する部材とすればよい。
【００３７】
上記第１，第２各実施形態では、スチルカメラとビデオカメラとが直接に通信を行うよう構成しているが、図５に示す第３実施形態のように、サーバ３５を介してスチルカメラ１０とビデオカメラ２０とが通信を行うようにしてもよい。サーバ３５は、スチルカメラ１０と、ビデオカメラ２０とのそれぞれの間で通信を確立し、スチルカメラ１０からの撮影タイミング信号を受信し、それをビデオカメラ２０に送信する。
【００３８】
なお、サーバ３５に、第２実施形態の受信回数判定手段と同等な機能を付加し、サーバ３５が受信する撮影タイミング信号が所定の単位時間内で予め設定される閾値に達したときに、ビデオカメラ２０に対して撮影タイミング信号を送信するようにし、このサーバ３５からの撮影タイミング信号に応答してビデオカメラ２０が頭出し信号を記録するように構成してもよい。
【００３９】
以下に、スチルカメラのストロボ発光を利用して頭出し信号を記録する第４実施形態について説明する。なお、以下に説明する他は、第１実施形態と同様であり、同じ構成部材には同一の符号を付してその説明を省略する。
【００４０】
図６に示すように、スチルカメラ４０は、レリーズボタン１１の操作によって静止画撮影部１２によって撮影が行われるとともに、その撮影に同期してストロボ発光を行うストロボ装置４０ａを備えている。このスチルカメラ４０としては、ストロボ装置を備えたものであればどのようなものでも利用できる。
【００４１】
ビデオカメラ２０は、ストロボ発光を検出する発光検出部４２を備えている。この発光検出部４２は、受光素子４２ａと、受光素子からの出力信号の変化からストロボ発光を検出する検出回路４２ｂとからなる。受光素子４２ａとしては、例えばフォトダイオードを用いており、受光する光の強度に応じた光電信号を出力する。検出回路４２ｂは、光電信号が急激かつ非連続的に所定のレベル以上となったときに、すなわち被写体の輝度が急激にかつ非連続的に高くなったときに検出信号を発生する。これにより、ストロボ発光を検出して検出信号を発生するようにしてある。なお、受光素子４２ａは、ビデオカメラ２０の撮影する方向からの光を受光するようにしておくのが好ましい。
【００４２】
この例によれば、図７に示すように、スチルカメラ４０によってストロボ撮影が行われると、そのストロボ発光により、受光素子４２ａからの光電信号が急激にかつ非連続的に高くなって検出信号が発生され、これが頭出し信号記録部２４に送られることにより、そのときのシーンを頭出しするための頭出し信号が記録メディア２５に記録される。
【００４３】
上記実施形態では、輝度の変化を検出するために受光素子を設けたが、動画撮影部に用いられているイメージセンサからの出力信号、すなわち画像信号を用いて輝度変化から同様にストロボ発光を検出し、頭出し信号を記録するように構成してもよい。
【００４４】
スチルカメラのシャッタ音を利用して頭出し信号を記録する第５実施形態について説明する。なお、以下に説明する他は、上記実施形態と同様であり、同じ構成部材には同一の符号を付してその説明を省略する。
【００４５】
図８に示すように、スチルカメラ４５としては、シャッタ装置の作動音が発生するものであればどのようなものでもよい。また、シャッタ作動音は、シャッタ装置が作動する際に機械的に発生する音に限らず、電気的に再生される音であってもかまわない。
【００４６】
ビデオカメラ２０には、動作音検出部４８を設けてあり、この動作音検出部４８は、
外部の音を取得し音信号を出力するマイク４8ａと、マイク４8ａで取得した音がメモリ４８ｂに予め登録されているシャッタ装置の動作音と合致するか否かを判別し、合致したときに検出信号を発生する解析回路４８ｃとからなる。
【００４７】
これによれば、図９に示すように、スチルカメラ４５によって撮影が行われると、そのときに発生するシャッタ音がマイク４８ａで取得され、その取得したシャッタ音がメモリ４８ｂに記録されているか否かが解析回路４８ｃで判断される。そして、合致するときには、そのときのシーンを頭出しするための頭出し信号が記録メディア２５に記録される。
【００４８】
なお、シャッタ装置の動作音と合致するか否かの判断する際に用いるシャッタ音は、製造時にメモリに予め書き込んでおくようにしてもよいし、ユーザが録音・作成したもの利用できるようにしてもよい。また、複数のシャッタ音を用意しておき、ユーザが１個、あるいは複数個のシャッタ音を選択できるようにしてもよい。さらに、シャッタ音の合致の判定を行わずにシャッタ音の検出だけで頭出し信号を記録するようにしてもよい。
【００４９】
第４〜５実施形態においても、第２実施形態と同様にして、所定の単位時間内でストロボ発光を検出した回数、あるいはシャッタ音が合致した回数が閾値に達したときに、頭出し信号を記録するように構成することができる。さらには、ビデオカメラとは別に設けた外部装置でスチルカメラのストロボ発光、あるいはシャッタ音の検出、合致を判断して、無線等でビデオカメラに検出信号等を送って頭出し信号を記録するように構成することができる。
【図面の簡単な説明】
【００５０】
【図１】本発明を実施した第１実施形態の動画撮影システムの構成を示すブロック図である。
【図２】第１実施形態における頭出し信号を記録する際の処理を示すフローチャートである。
【図３】撮影タイミング信号の単位時間内の受信回数が閾値に達したときに頭出し信号を記録する第２実施形態の動画撮影システムの構成を示すブロック図である。
【図４】第２実施形態における頭出し信号を記録する際の処理を示すフローチャートである。
【図５】サーバを介してスチルカメラからビデオカメラに撮影タイミング信号を送信する第３実施形態の動画撮影システムの構成を示すブロック図である。
【図６】ストロボ発光を検出したときに頭出し信号を記録する第４実施形態の動画撮影システムの構成を示すブロック図である。
【図７】第４実施形態における頭出し信号を記録する際の処理を示すフローチャートである。
【図８】シャッタ音を検出したときに頭出し信号を記録する第５実施形態の動画撮影システムの構成を示すブロック図である。
【図９】第５実施形態における頭出し信号を記録する際の処理を示すフローチャートである。
【符号の説明】
【００５１】
１０  スチルカメラ
１１  レリーズボタン
１３  タイミング信号発生回路
１４，２３  通信回路
２０  ビデオカメラ
２１  動画撮影部
２２  動画記録部
２４  頭出し信号記録部
３５  サーバ
４２  発光検出部
４８  動作音検出部
【図１】
2007325052.tif 000003
【図２】
2007325052.tif 000004
【図３】
2007325052.tif 000005
【図４】
2007325052.tif 000006
【図５】
2007325052.tif 000007
【図６】
2007325052.tif 000008
【図７】
2007325052.tif 000009
【図８】
2007325052.tif 000010
【図９】
2007325052.tif 000011